(57)【要約】【課題】構成や組立が簡易であって、安価な通帳プリンタを提供すること。【解決手段】媒体を搬送する搬送手段と、搬送される媒体を搬送方向に導くためのガイドであって、媒体の搬送面に、搬送面よりも下にある媒体の搬送先方向の先端をすくうためのすくい角を有した穴部を設けたガイドと、搬送された媒体に所定の情報を印字する印字手段と、を備えた。【選択図】図７Ａ
2012246085.tif 000002
【特許請求の範囲】
【請求項１】
媒体を搬送する搬送手段と、
搬送される前記媒体を搬送方向に導くためのガイドであって、前記媒体の搬送面に、前記搬送面よりも下にある前記媒体の搬送先方向の先端をすくうためのすくい角を有した穴部を設けたガイドと、
搬送された前記媒体に所定の情報を印字する印字手段と、
を備えたことを特徴とする通帳プリンタ。
【請求項２】
前記穴部は、前記媒体の搬送先方向の側に前記すくい角を有している、
ことを特徴とする請求項１に記載の通帳プリンタ。
【請求項３】
前記搬送手段は、前記媒体の吸入方向および排出方向に搬送し、
前記穴部は、前記吸入方向および排出方向に前記すくい角を有している、
ことを特徴とする請求項１に記載の通帳プリンタ。
【請求項４】
前記穴部は台形形状であり、前記すくい角は、前記穴部の下底と、前記下底および上底を除いた辺とによってなす角である、
ことを特徴とする請求項１〜３のいずれか１項に記載の通帳プリンタ。
【請求項５】
前記穴部は、前記穴部の下底が前記ガイドの端側となるように、前記ガイドに配置されている、
ことを特徴とする請求項４に記載の通帳プリンタ。
【請求項６】
前記穴部は、前記ガイドに複数設けられ、前記穴部のそれぞれは、前記媒体の搬送方向における前記ガイドの中心軸に対して左右対称となるように配置されている、
ことを特徴とする５に記載の通帳プリンタ。
【請求項７】
前記媒体に貼りつけられた磁気ストライプに磁気を読み書きする磁気処理手段と、前記印字手段によって印字された所定の情報およびバーコードの読み取りを行う光学読取手段と、搬送された前記媒体の頁替をする頁替え手段と、
をさらに備えたことを特徴とする請求項１〜６のいずれか１項に記載の通帳プリンタ。
【発明の詳細な説明】
【技術分野】
【０００１】
本発明は、金融機関等で使用する通帳プリンタの搬送ガイドの穴形状に関する。
【背景技術】
【０００２】
銀行等の金融機関で使用される窓口の通帳プリンタには媒体のセット基準がある。図１Ａ、図１Ｂはその媒体のセット基準の例を示す図である。図１Ａ、図１Ｂに示すように、媒体のセット基準には、左基準・右基準の二通りがある。図１Ａ、図１Ｂに於いて、通帳プリンタが有する下インサータ３ｂの左端に沿って通帳（媒体）４が挿入される左基準タイプ（図１Ａ）と、下インサータ３ｂの右端に沿って通帳４が挿入される右基準タイプ（図１Ｂ）とが存在する。
【０００３】
しかし、左基準と右基準とでは、搬送ローラの配置が異なる為、通帳の搬送ガイド５ａ、５ｂの搬送ローラ穴６は異なる位置に開けられており、図２Ａ、図２Ｂに示すように、搬送ガイド５ａ、５ｂを夫々別々の別部品５ａおよび５ｂとするか、あるいは図３Ａ、図３Ｂに示すように、左基準と右基準とで、必要な搬送ローラ穴を全て事前にあけた共通搬送ガイド７の不要な穴を、搬送ジャム防止の別ピースの搬送ローラ穴埋め部材８で塞ぐ方式が採用されていた。例えば、特許文献１では、左基準に対応した左基準専用の搬送ガイドを設け、搬送ローラ穴を亀の子形状とした通帳プリンタが開示されている。
【先行技術文献】
【特許文献】
【０００４】
【特許文献１】特開平０４−２８２２９号
【発明の概要】
【発明が解決しようとする課題】
【０００５】
しかしながら、上述した従来技術では、搬送ガイドを夫々別々の別部品とすると部品の共通性がなくなることによって構成が複雑になり、コストアップとなるという問題がある。又、特許文献１に開示された通帳プリンタのように、左基準と右基準とで必要なローラ穴を全て事前にあけておき、別ピースで塞ぐ方式では、別ピースの部品費用及び別ピースの部品の組立が複雑となり、費用がコストアップとなるという問題点があった。
【０００６】
本発明は、上記に鑑みてなされたものであって、構成や組立が簡易であって、安価な通帳プリンタを提供することを目的とする。
【課題を解決するための手段】
【０００７】
上述した課題を解決し、目的を達成するために、本発明にかかる通帳プリンタは、媒体を搬送する搬送手段と、搬送される前記媒体を搬送方向に導くためのガイドであって、前記媒体の搬送面に、前記搬送面よりも下にある前記媒体の搬送先方向の先端をすくうためのすくい角を有した穴部を設けたガイドと、搬送された前記媒体に所定の情報を印字する印字手段と、を備えたことを特徴とする。
【発明の効果】
【０００８】
本発明によれば、構成や組立が簡易であって、安価な通帳プリンタを提供することができる。
【図面の簡単な説明】
【０００９】
【図１Ａ】通帳プリンタの左セット基準を示す外観図である。
【図１Ｂ】通帳プリンタの右セット基準を示す外観図である。
【図２Ａ】左セット基準別部品の搬送ガイド図である。
【図２Ｂ】右セット基準別部品の搬送ガイド図である。
【図３Ａ】従来技術の不要な穴を別ピースで塞ぐ方式図（左基準）である。
【図３Ｂ】従来技術の不要な穴を別ピースで塞ぐ方式図（右基準）である。
【図４】角型ローラ穴形状と媒体角が引っ掛る様子を示す図である。
【図５】亀の子ローラ穴形状と媒体角が引っ掛る様子を示す図である。
【図６】本実施の形態におけるすくい角を有したローラ穴形状と媒体角が引っ掛らない様子を示す図である。
【図７Ａ】本実施の形態における搬送ガイドを示す図である。
【図７Ｂ】図７Ａに示した搬送ガイドが有する穴の形状を示す図である。
【図８】本実施の形態における通帳プリンタの横断面図である。
【図９Ａ】銀行等の金融機関で出金を行う際の通帳プリンタの処理のフローチャートである。
【図９Ｂ】銀行等の金融機関で出金を行う際の通帳プリンタの処理のフローチャートである。
【図１０】本実施の形態における搬送ガイド説明斜視図（左基準）である。
【図１１】本実施の形態における搬送ガイド説明斜視図（右基準）である。
【発明を実施するための形態】
【００１０】
以下、図１Ａから図１１を参照して、本発明にかかる通帳プリンタの実施の形態を詳細に説明する。本実施形態では、本発明にかかる通帳プリンタを金融機関等で使用されている通帳プリンタに適用した場合について説明し、通帳及び証書及び伝票を媒体の例として取り上げているが、搬送方向に媒体を搬送する機構を有しているものであれば、特にこれに限定されることはない。
【００１１】
図１Ａ、図１Ｂは、本実施形態にかかる通帳プリンタの外観図である。図１Ａは、通帳等を通帳プリンタにセットするためにインサータの左側（左端）を基準（以下、単に左基準等と呼ぶ。）とした通帳プリンタ１を示す図である。図１Ａに示すように、通帳４はプリンタの挿入口３ｂの左側にセットされる。また、図１Ｂは、通帳等を通帳プリンタにセットするためにインサータの右側（右端）を基準（以下、単に右基準等と呼ぶ。）とした通帳プリンタ２を示す図である。図１Ｂに示すように、通帳４はプリンタの挿入口３ｂの右側にセットされる。なお、通帳プリンタは、伝票等の媒体がセットされる上インサータ３ａ、通帳や証書がセットされる下インサータ３ｂの２つのインサータを有している。
【００１２】
図２Ａは、背景技術に関わる通帳プリンタに内蔵された左基準専用の搬送ガイド５ａを示す図である。図２Ａに示すように、ローラ穴６が搬送ガイドの左側に複数ケあいている。図２Ｂは、図２Ａに示したものと同様に、背景技術に関わる通帳プリンタに内蔵された右基準専用の搬送ガイド５ｂを示す図である。図５Ｂに示すように、ローラ穴６が搬送ガイドの右側に複数ケあいている。
【００１３】
図３Ａ、図３Ｂは、背景技術に関わる通帳プリンタに内蔵された左基準および右基準に共通の搬送ガイドの不要な穴を塞ぐ方式を示す図である。搬送ガイド７は、左基準および右基準で共通の搬送ガイドであり、図３Ａ、３Ｂに示すように、不要なローラ穴を塞ぐ穴埋め部材８がセットされる。図３Ａに示すように、通帳プリンタを左基準で使用する場合には、共通搬送ガイド７の右側部分の穴を穴埋め部材８で埋める。一方、図３Ｂに示すように、通帳プリンタを右基準で使用する場合には、共通搬送ガイド７の左側部分の穴を穴埋め部材８で塞ぐこととなる。穴埋め部材８はスナップフィット等の固定手段により搬送ガイド７に固定される。
【００１４】
図４は、背景技術に関わる搬送ガイドの角型ローラ穴形状１１に、媒体９の角１０がカールや耳折れしている場合に、搬送ガイドのローラ穴端に引っ掛る様子を示した図である。図４に示すように、角型ローラ穴形状１１では、搬送媒体９の角部１０がカールや耳折れしていると角部はローラ穴の端面に引っ掛り搬送ジャムが発生する。図５は、背景技術に関わる搬送ガイドの亀の子ローラ穴形状１２に、媒体９の角１０がカールや耳折れしている場合に、搬送ガイドのローラ穴端にもぐりこむ様子を示した図である。図５に示すように、亀の子ローラ穴形状１２では、搬送媒体９の角部１０がカールや耳折れしていると角部は亀の子ローラ穴の端面にもぐりこみ搬送ジャムが発生する。図４、５に示すように、これらのローラ穴の形状では、媒体９が適切に搬送されないケースが生じてしまうことがわかる。
【００１５】
図６は、本実施形態にかかる通帳プリンタが有する搬送ガイドが、搬送面よりも下にある媒体の搬送先方向の先端をすくうためのすくい角を有したローラ穴形状１３を有し、そのローラ穴に媒体９の角１０がカールや耳折れしていてもとローラ穴端に引っ掛らない様子を示した図である。図６に示すように、ローラ穴をすくい角を有したローラ穴形状１３にした場合、搬送媒体９の角部１０は穴のすくい角形状により、カールや耳折れする等、搬送媒体９の先端の角部１０が平らではなく下方に垂れ下がった状態（搬送先方向の先端が搬送面よりも下に位置する状態）にある場合であっても、搬送媒体９がすくい角の先端Ｐの方向に送られて、搬送媒体９の角部１０がすくわれるため搬送ジャムにはならない。
【００１６】
図７Ａ、図７Ｂは、本実施形態にかかる通帳プリンタが有する搬送ガイド１４が、左側の搬送ローラ穴が上述したすくい角を有した穴形状１５を有し、中央部のローラ穴が角型穴形状１６を有し、右側の搬送ローラ穴が上述したすくい角を有した穴形状１７を有している場合の構成を示す斜視図である。図７Ａ、図７Ｂに示すように、搬送ローラ穴のそれぞれは、搬送媒体９の搬送方向における搬送ガイドの中心軸に対して左右対称となるように配置され、搬送ガイドの左側の搬送ローラ穴の穴形状１５は、左側の搬送ガイドが位置する側（すなわち、搬送媒体９の搬送方向に対して外側）にすくい角が設けられている。
【００１７】
また、搬送ガイドの右側の搬送ローラ穴の穴形状１７は、右側の搬送ガイドが位置する側（すなわち、搬送媒体９の搬送方向に対して外側）にすくい角が設けられている。このように、搬送ローラ穴は、媒体１９の搬送方向に対して外側の辺が長くなるような台形の形状であり、搬送ガイドの端側にある底辺（下底）Ｌ１と、上底および下底以外の辺Ｌ２とによって、鋭角（θ）となるすくい角が形成されているので、ローラのない搬送ローラ穴にカールや耳折れした媒体の角がきても搬送ジャムは発生することはない。
【００１８】
なお、本実施の形態においては、図７Ｂに示したように、搬送ローラ穴の穴形状１５は、搬送媒体９の吸入方向および排出方向にすくい角を有した台形（例えば、等脚台形）形状としているが、搬送媒体９の搬送先方向の側にのみ、すくい角を設けることとしてもよい。また、通常は、通帳プリンタで使用される媒体１９の幅は、搬送ガイド幅の１/２以上の幅である。したがって、左基準の場合または右基準の場合のいずれの場合であっても、双方共ローラが存在して穴を塞ぐこととなる為、中央部のローラ穴形状は、角型穴形状であっても、カールや耳折れした媒体の角がきても搬送ジャムは発生することはない。従って本実施の形態における通帳プリンタでは、搬送ガイド幅の約１/３程度の媒体幅までサポート可能である。
【００１９】
図８は、本実施形態に係る通帳プリンタの概略横断面図であり、オペレータの操作により通帳や帳票の処理を行う装置である。図８に示すように、本実施形態に係る通帳プリンタは、下側挿入口１８と、上側挿入口１９と、下側搬送路２０ａと、上側搬送路２０ｂと、共通搬送路２０ｃと、下搬送ローラ２１Ａ〜２１Ｅと、上搬送ローラ２２ａ〜２２ｅと、磁気読み書き機構２３と、印字機構２４と、光学読取機構２５と、頁替え機構２６と、下インサータセット検知センサ２７と、上インサータセット検知センサ２８と、搬送モータ２９と、切替板３０と、制御部３１と、通信手段３２と、を有している。これらの各部は制御部３１によって制御されるが、具体的な動作につついては、フローチャートの中で説明する。
【００２０】
図９Ａ、図９Ｂは、銀行等の金融機関の窓口で現金を出金する場合の本実施形態に係る通帳プリンタの一連の処理のフローチャートである。以下、図８及び図９Ａ、図９Ｂ用いて銀行等の金融機関の窓口で現金を出金する場合について説明する。
【００２１】
オペレータは、顧客から預かった通帳と出金伝票の内容から、通帳プリンタの上位装置により必要な処理を実施するが、通帳プリンタには、上位装置から通信手段３２を介して通帳への印字や磁気ストライプ情報の更新を行う為、通帳を下インサータ１８へセット要求のコマンドが伝送され、オペレータは、前記セット要求に従い、通帳を下インサータ１８にセットしたものとする。
【００２２】
図９Ａに示すように、制御部３１は、下インサータセット検知センサ２７が通帳がセットされたことを検知したか否かを判定し（ステップＳ９０１）、下インサータセット検知センサ２７が通帳がセットされたことを検知したと判定した場合（ステップＳ９０１；Ｙｅｓ）、搬送モータ２９が吸入方向に駆動する（ステップＳ９０２）。一方、制御部３１は、下インサータセット検知センサ２７が通帳がセットされたことを検知したと判定しない場合（ステップＳ９０１；Ｎｏ）、ステップＳ９０２に戻ってそのまま待機する。
【００２３】
通帳は搬送ローラ２１ａ、２１ｃ〜２１ｄ、２２Ａ、２２Ｃ〜２２Ｄにより搬送路２０ａ〜２０ｃを通過しながら磁気ストライプ読取位置まで搬送され、制御部３１は、通帳が磁気ストライプ読取位置まで搬送されたか否かを判定し（ステップＳ９０３）、通帳が磁気ストライプ読取位置まで搬送されたと判定した場合（ステップＳ９０３；Ｙｅｓ）、搬送モータが停止する（ステップＳ９０４）。一方、通帳が磁気ストライプ読取位置まで搬送されていないと判定した場合（ステップＳ９０３；Ｎｏ）、そのまま待機する。
【００２４】
その後、磁気ストライプ読み書き機構２３は予め通帳に貼りつけられた磁気ストライプに書かれている口座番号等の磁気ストライプ情報を読み取る磁気ストライプリード処理を行い、磁気ストライプ情報を読みとり（ステップＳ９０５）、制御部３１は、磁気ストライプ情報が正常に読み取られたか否かを判定し（ステップＳ９０６）、磁気ストライプ情報が正常に読み取られていないと判定した場合（ステップＳ９０６；Ｎｏ）、処理を異常終了させる。
【００２５】
一方、磁気ストライプ情報が正常に読み取られたと判定した場合（ステップＳ９０６；Ｙｅｓ）、制御部３１は、再度、搬送モータ２９を吸入方向に駆動し（ステップＳ９０７）、通帳は搬送ローラ２１ｃ〜２１ｄ、２２Ｃ〜２２Ｄにより搬送路２０ｃを通過しながら、バーコード読取位置まで搬送される。制御部３１は、通帳がバーコード読取位置まで搬送されたか否かを判定し（ステップＳ９０８）、通帳がバーコード読取位置まで搬送されたと判定した場合（ステップＳ９０８；Ｙｅｓ）、搬送モータ２９を停止させる（ステップＳ９０９）。一方、通帳がバーコード読取位置まで搬送されていないと判定した場合（ステップＳ９０８；Ｎｏ）、ステップＳ９０７に戻ってそのまま待機する。
【００２６】
その後、光学読取機構２５は、通帳の中紙に予め印刷された頁バーコードを読み取るバーコードリード処理を行い、頁バーコードを読み取り（ステップＳ９１０）、通信手段２７が、これらの磁気ストライプ情報やバーコードリードデータを上位装置に伝送し、上位装置は、通信手段２７により伝送されてきたデータを照合し、データに問題があるか否か（バーコードリード処理が正常に終了したか否か）を判定する（ステップＳ９１１）。
【００２７】
上位装置がバーコードリード処理が正常に終了していないと判定した場合（ステップＳ９１１；Ｎｏ）、処理を異常終了させる。一方、上位装置がバーコードリード処理が正常に終了したと判定した場合（ステップＳ９１１；Ｙｅｓ）、制御部３１は、磁気ストライプデータおよびバーコードリードデータの上位装置への伝送が完了したか否かを判定し（ステップＳ９１２）、これらのデータの伝送が完了していないと判定した場合（ステップＳ９１２；Ｎｏ）、そのまま待機する。
【００２８】
一方、制御部３１は、これらのデータの伝送が完了したと判定した場合（ステップＳ９１２；Ｙｅｓ）、さらに、これらのデータが予め定められた期待値であったか否かを判定し（ステップＳ９１３）、これらのデータが予め定められた期待値でないと判定した場合（ステップＳ９１３；Ｎｏ）、処理を異常終了させる。一方、制御部３１は、これらのデータが予め定められた期待値であったと判定した場合（ステップＳ９１３；Ｙｅｓ）、次に搬送モータ２９を排出方向に逆転させる（ステップＳ９１４）。
【００２９】
そして、通帳は搬送ローラ２１ａ、２１ｃ〜２１ｄ、２２Ａ、２２Ｃ〜２２Ｄにより搬送路２０ａ〜２０ｃを通過しながら、下インサータ１８の退避位置まで搬送され、制御部３１は、通帳が退避位置まで搬送されたか否かを判定し（ステップＳ９１５）、通帳が退避位置まで搬送されていないと判定した場合（ステップＳ９１５；Ｎｏ）、ステップＳ９１４に戻ってそのまま待機する。
【００３０】
一方、制御部３１は、通帳が退避位置まで搬送されたと判定した場合（ステップＳ９１５；Ｙｅｓ）、搬送モータ２９を停止させ（ステップＳ９１６）、通帳を一旦退避させる。このとき、本取引のエビデンスを残すべく、上インサータ１８に定期預金申し込み用紙のセット要求が上位装置より通信手段３２を介して伝送される。前記定期預金申し込み用紙のセット要求に従いオペレータは上インサータ１９に出金伝票を挿入する。
【００３１】
そして、制御部３１は、上インサータセットセンサ２８が出金伝票がセットされたことを検知したか否かを判定し（ステップＳ９１７）、上インサータセットセンサ２８が出金伝票がセットされたことを検知していないと判定した場合（ステップＳ９１７；Ｎｏ）、そのまま待機する。一方、制御部３１は、上インサータセットセンサ２８が出金伝票がセットされたことを検知したと判定した場合（ステップＳ９１７；Ｙｅｓ）、切替板３０を上インサータ側に切替え（ステップＳ９１８）、搬送モータを駆動させる(ステップＳ９１９)。
【００３２】
挿入された出金伝票は、搬送ローラ２１Ｂ〜２１Ｄ、２２ｂ〜２２ｄにより搬送路２０ｂ、２０ｃを通過しながら印字位置まで搬送され、制御部３１は、出金伝票が印字位置まで搬送されたか否かを判定し（ステップＳ９２０）、出金伝票が印字位置まで搬送されていないと判定した場合（ステップＳ９２０；Ｎｏ）、ステップＳ９１９に戻ってそのまま待機する。
【００３３】
一方、制御部３１は、出金伝票が印字位置まで搬送されたと判定した場合（ステップＳ９２０；Ｙｅｓ）、搬送モータ２９を停止させる（ステップＳ９２１）。次に、印字機構２４が上位装置から伝送された印字電文を印字する印字処理を行い（ステップＳ９２２）、制御部３１は、印字が正常になされたか否かを判定する（ステップＳ９２３）。そして、制御部３１が、印字が正常になされていないと判定した場合（ステップＳ９２３；Ｎｏ）、処理を異常終了させる。
【００３４】
一方、制御部３１は、印字が正常になされたと判定した場合（ステップＳ９２３；Ｙｅｓ）、搬送モータ２９を逆回転させる（ステップＳ９２４）。このとき、印字された出金伝票を搬送ローラ２１Ｂ〜２１Ｄ、２２ｂ〜２２ｄにより搬送路２０ｂ、２０ｃを通過されて、上インサータ１９へ返却し、搬送モータ２９を停止する。そして、上位装置は所望の通帳の印字データが通帳プリンタに伝送されると、通帳プリンタはまず切替板３０を下インサータ側へ切り替える（ステップＳ９２５）。
【００３５】
そして、制御部３１は、搬送モータ２９を吸入方向に駆動させ（ステップＳ９２６）、搬送ローラ２１ａ、２１ｃ〜２１ｄ、２２Ａ、２２Ｃ〜２２Ｄにより搬送路２０ａ〜２０ｃを通過させて吸入し、先程一旦退避した通帳を印字位置まで搬送されたか否かを判定する（ステップＳ９２７）。制御部３１は、通帳が印字位置まで搬送されていないと判定した場合（ステップＳ９２７；Ｎｏ）、ステップＳ９２６に戻ってそのまま待機する。一方、制御部３１は、通帳が印字位置まで搬送されたと判定した場合（ステップＳ９２７；Ｙｅｓ）、吸入した後搬送モータ２９を停止させ（ステップＳ９２８）、図９Ｂに示す各処理に進む。
【００３６】
次に、印字機構２４が所望の印字データを印字し、制御部３１は、この時印字データに対して当該頁の印字可能行数が足りているか否かを判定し（ステップＳ９２９）、印字データに対して当該頁の印字可能行数が足りていると判定した場合（ステップＳ９２９；Ｙｅｓ）、ステップＳ９４５に進む。
【００３７】
一方、制御部３１は、印字データに対して当該頁の印字可能行数が足りていないと判定した場合（ステップＳ９２９；Ｎｏ）、当該頁分の印字データを印字する処理を行って、残りの印字データは制御部３１に一旦退避させ（ステップＳ９３０）、その印字処理が正常に完了したか否かを判定し（ステップＳ９３１）、その印字処理が正常に完了していないと判定した場合（ステップＳ９３１；Ｎｏ）、処理を異常終了させる。
【００３８】
一方、制御部３１は、その印字処理が正常に完了したと判定した場合（ステップＳ９３１；Ｙｅｓ）、搬送モータ２９を吸入方向に駆動し（ステップＳ９３２）、搬送ローラ２１Ｄ、２１Ｅ、２２ｄ、２２ｅにより搬送路２０ｃを通過しながら、通帳を頁替え位置まで搬送し、通帳が頁替え位置まで搬送されたか否かを判定する（ステップＳ９３３）。
【００３９】
そして、制御部３１は、通帳が頁替え位置まで搬送されていないと判定した場合（ステップＳ９３３；Ｎｏ）、ステップＳ９３２に戻ってそのまま待機する。一方、制御部３１は、通帳が頁替え位置まで搬送されたと判定した場合（ステップＳ９３３；Ｙｅｓ）、搬送モータ２９を停止させ（ステップＳ９３４）、頁替え機構２６が、頁替え位置まで搬送された通帳は頁替えの処理を行う（ステップＳ９３５）。
【００４０】
頁替えの処理後、頁めくり結果が正しいか否かを判断する為、制御部３１は再度搬送モータを排出方向に駆動させ（ステップＳ９３６）、通帳を搬送ローラ２１Ｃ〜２１Ｅ、２２ｃ〜２２ｅにより搬送路２０ｃを通過しながらバーコード読取位置まで搬送させ、制御部３１は、通帳がバーコード読取位置まで搬送されたか否か判定する（ステップＳ９３７）。
【００４１】
制御部３１は、通帳がバーコード読取位置まで搬送されていないと判定した場合（ステップＳ９３７；Ｎｏ）、ステップＳ９３６に戻ってそのまま待機する。一方、制御部３１は、通帳がバーコード読取位置まで搬送されたと判定した場合（ステップＳ９３７；Ｙｅｓ）、搬送モータ２９を停止させ（ステップＳ９３８）、再度光学読取機構２５が、頁めくりされた頁の頁バーコードを読み取るバーコードリード処理を行い（ステップＳ９３９）、制御部３１は、バーコードリード処理が正常に完了したか否かを判定し（ステップＳ９４０）、バーコードリード処理が正常に完了していないと判定した場合（ステップＳ９４０；Ｎｏ）、処理を異常終了させる。
【００４２】
一方、制御部３１は、バーコードリード処理が正常に完了したと判定した場合（ステップＳ９４０；Ｙｅｓ）、頁バーコードが所望のバーコードであるか否かを判定する（ステップＳ９４１）。制御部３１は、読み取ったバーコードが所望のバーコードでないと判定した場合（ステップＳ９４２；Ｎｏ）、処理を異常終了させる。
【００４３】
一方、制御部３１は、読み取ったバーコードが所望のバーコードであると判定した場合（ステップＳ９４２；Ｙｅｓ）搬送モータを再度吸入方向に駆動して（ステップＳ９４２）、搬送ローラ２１ａ、２１ｃ〜２１ｄ、２２Ａ、２２Ｃ〜２２Ｄで搬送路２０ｃを通過しながら印字位置まで通帳を搬送し、通帳が印字位置まで搬送されたか否かを判定し（ステップＳ９４３）、通帳が印字位置まで搬送されていないと判定した場合（ステップＳ９４３；Ｎｏ）、処理を異常終了させる。
【００４４】
制御部３１は、通帳が印字位置まで搬送されたと判定した場合（ステップＳ９４３；Ｙｅｓ）、搬送モータ２９を停止させ（ステップＳ９４４）、印字機構２４が、前記搬送された通帳に先程一旦制御部３１退避した印字データを印字する（ステップＳ９４５）。そして、制御部３１は、その印字が正常に行われたか否かを判定し（ステップＳ９４６）、その印字が正常に行われていないと判定した場合（ステップＳ９４６；Ｎｏ）、処理を異常終了させる。
【００４５】
一方、制御部３１は、その印字が正常に行われたと判定した場合（ステップＳ９４６；Ｙｅｓ）、再度、搬送モータ２９を排出方向に駆動して（ステップＳ９４７）、搬送ローラ搬送ローラ２１ａ、２１ｃ〜２１ｄ、２２Ａ、２２Ｃ〜２２Ｄで搬送路２０ｃを通過しながら磁気ストライプ書込み位置まで通帳を搬送し、通帳が磁気ストライプ書込み位置まで搬送されたか否かを判定する（ステップＳ９４８）。
【００４６】
制御部３１は、通帳が磁気ストライプ書込み位置まで搬送されていないと判定した場合（ステップＳ９４８；Ｎｏ）、ステップＳ９４７に戻ってそのまま待機する。一方、制御部３１は、通帳が磁気ストライプ書込み位置まで搬送されたと判定した場合（ステップＳ９４８；Ｙｅｓ）、搬送モータ２９を停止させ（ステップＳ９４９）、その後、磁気読み書き機構２３が、取引終了後の磁気ストライプ情報を書き込む磁気ストライプライト処理を行い、磁気情報の更新を行う（ステップＳ９５０）。
【００４７】
そして、磁気情報の更新が終了した後、制御部３１は、その磁気情報の更新が正常に完了したか否かを判定し（ステップＳ９５１）、その磁気情報の更新が正常に完了していないと判定した場合（ステップＳ９５１；Ｎｏ）、処理を異常終了させる。一方、制御部３１は、その磁気情報の更新が正常に完了したと判定した場合（ステップＳ９５１；Ｙｅｓ）、再度、搬送モータ２９を排出方向に駆動させ（ステップＳ９５２）、搬送ローラ２１ａ、２１ｃ〜２１ｄ、２２Ａ、２２Ｃ〜２２Ｄにより搬送路２０ａを通過しながら、通帳を下インサータ１８へ排出し、通帳が排出位置まで搬送されたか否かを判定する（ステップＳ９５３）。
【００４８】
制御部３１は、通帳が排出位置まで搬送されていないと判定した場合（ステップＳ９５３；Ｎｏ）、ステップＳ９５２に戻ってそのまま待機する。一方、制御部３１は、通帳が排出位置まで搬送されたと判定した場合（ステップＳ９５３；Ｙｅｓ）、搬送モータ２９を停止させ（ステップＳ９５４）、取引を終了させる。このように、図９Ａ、図９Ｂでは、前記事例の場合出金伝票の処理は、通帳の磁気ストライプの読取、及び頁バーコードの読取終了後に行われる例を示したが、通帳の挿入前、あるいは返却後、あるいは所望の印字後に出金伝票の処理が行われるケースもある。
【００４９】
次に、定期預金証書での定期口座への入金処理について、上述した処理と同様に図８を用いて説明する。定期証書の場合は通帳の如く表紙に貼り付けられた磁気ストライプや予め印刷された頁バーコードは通常ないものが多く、今回はこれら磁気ストライプやバーコードのない場合について説明する。従って、フローチャートで示される処理手順は、通帳を使った出金処理の場合の磁気ストライプストライプリードライト位置への搬送、磁気ストライプリードライト処理、バーコードリード位置への搬送、バーコードリード処理、頁替え位置への搬送、及び頁替え処理がない場合のフローチャートとなる為、ここではフローチャートを用いた説明は割愛する。
【００５０】
オペレータは、顧客から預かった現金と定期預金申し込み用紙より、通帳プリンタの上位装置により必要な処理を実施する。通帳プリンタには、上位装置から通信手段３２を介して定期預金証書へ預金金額等を印字すべく、定期預金証書を下インサータ１８にセット要求するためのコマンドが伝送される。そして、オペレータは、そのセット要求に従い定期預金証書を下インサータ１８にセットする。
【００５１】
定期預金証書が下インサータ１８にセットされ、下インサータセット検知センサ２７が通定期預金証書がセットされたことを検知すると、搬送モータ２９が吸入方向に駆動する。定期預金証書は、搬送ローラ２１ａ、２１ｃ〜２１ｄ、２２Ａ、２２Ｃ〜２２Ｄにより搬送路２０ａ〜２０ｃを通過しながら印字位置まで搬送され、搬送モータ２９が停止する。
【００５２】
次に、印字機構２４が預金金額や口座番号等の定期預金証書に印字すべき印字データを印字する。印字が終わった定期預金証書は、搬送モータ２９が排出方向に駆動されることによって、搬送ローラ２１ａ、２１ｃ〜２１ｄ、２２Ａ、２２Ｃ〜２２Ｄにより搬送路２０ａ〜２０ｃを通過しながら下インサータ１８へ排出され、搬送モータ２９が停止する。
【００５３】
続いて、本取引のエビデンスを残すべく、上インサータ１８に定期預金申し込み用紙のセット要求が上位装置より通信手段３２を介して伝送される。前記定期預金申し込み用紙のセット要求に従い、オペレータは上インサータ１９へ定期預金申し込み用紙をセットする。上インサータセット検知センサ２８が定期預金申し込み用紙がセットされたことを検知し、搬送モータ２９が吸入方向に駆動する。定期預金申し込み用紙は、搬送ローラ２１ｂ〜２１ｄ、２２Ｂ〜２２Ｄにより搬送路２０ａ〜２０ｃを通過しながら印字位置まで搬送され、搬送モータ２９が停止する。
【００５４】
次に、印字機構２４により本取引のエビデンスとなる印字データを印字する。印字が終わった定期預金申し込み用紙書は、搬送モータ２９が排出方向に駆動されて、搬送ローラ２１ｂ〜２１ｄ、２２Ｂ〜２２Ｄにより搬送路２０ａ〜２０ｃを通過しながら上インサータ１９へ排出され、搬送モータ２９が停止する。
【００５５】
前述したように、本実施形態にかかる通帳プリンタは、搬送ローラ２１ａ〜２１ｅ、２２Ａ〜２２Ｅを有し、搬送ガイドには上述した搬送ローラ穴が設けられている。ここで、まず左基準通帳プリンタの搬送ガイドについて述べる。
【００５６】
図１０に示すように、左基準通帳プリンタの場合、斜線で示したローラ穴３３はローラで塞がれているが、その他のローラ穴３４はローラで塞がれていない。下インサータ１８あるいは上インサータ１９からセットされた帳票３６の角部３５が、ちょうどローラ穴３４上の関係にあった場合において、帳票の角部がカール又は耳折れしている場合でも帳票の角部はローラ穴のすくい角にすくわれてローラ穴には引っ掛らずジャムにはならず、所望の処理を実施して下インサータ１８あるいは上インサータ１９に返却される。次に、右基準通帳プリンタの搬送ガイドについて述べる。
【００５７】
図１１に示すように、右基準通帳プリンタの場合、斜線で示したローラ穴３７はローラで塞がれているがその他のローラ穴３８はローラで塞がれていない。下インサータ１８あるいは上インサータ１９からセットされた帳票３９の角部４０が、ちょうどローラ穴３８上の関係にあった場合において、帳票の角部がカール又は耳折れしている場合でも帳票の角部はローラ穴のすくい角にすくわれてローラ穴には引っ掛らずジャムにはならず、所望の処理を実施して下インサータ１８あるいは上インサータ１９に返却される。
【００５８】
このように、本実施の形態における通帳プリンタの構成を備えることによって、搬送ローラの有無で搬送ガイドを別部品にする必要もなく、又搬送ローラのないローラ穴を別ピースで塞ぐこともなく部品の共通化が実施でき、プリンタのコストアップを防ぐことができる。
【符号の説明】
【００５９】
１…左基準通帳プリンタ
２…右基準通帳プリンタ
３…挿入口
４…通帳
５ａ…左基準用搬送ガイド
５ｂ…右基準用搬送ガイド
６…搬送ローラ穴
７…左基準/右基準共通搬送ガイド
７ａ…搬送ローラ穴
８…搬送ローラ穴埋め部材
９…搬送媒体
１０…搬送媒体の角部
１１…角型ローラ穴形状
１２…亀の子ローラ穴形状
１３…本発明のすくい角を有したローラ穴形状
１４…本発明の左基準/右基準共通搬送ガイド
１５…本発明のすくい角を有した共通搬送ガイドの左側の穴形状
１６…角型ローラ穴形状
１７…本発明のすくい角を有した共通搬送ガイドの右側の穴形状
１８…下側挿入口
１９…上側挿入口
２０ａ…下側搬送路
２０ｂ…上側搬送路
２０ｃ…共通搬送路
２１Ａ〜２１Ｅ…搬送ローラ（下）
２２ａ〜２２ｅ…搬送ローラ（上）
２３…磁気読み書き機構
２４…印字機構
２５…光学読取機構
２６…頁替え機構
２７…下インサータセット検知センサ
２８…上インサータセット検知センサ
２９…搬送モータ
３０…切替板
３１…制御部
３２…通信手段
３３…ローラで塞がれたローラ穴
３４…ローラで塞がれていないローラ穴
３５…左基準帳票の角部
３６…左基準帳票
３７…ローラで塞がれたローラ穴
３８…ローラで塞がれていないローラ穴
３９…右基準帳票の角部
４０…右基準帳票
θ…すくい角
Ｐ…すくい角の先端。
【図１Ａ】
2012246085.tif 000003
【図１Ｂ】
2012246085.tif 000004
【図２Ａ】
2012246085.tif 000005
【図２Ｂ】
2012246085.tif 000006
【図３Ａ】
2012246085.tif 000007
【図３Ｂ】
2012246085.tif 000008
【図４】
2012246085.tif 000009
【図５】
2012246085.tif 000010
【図６】
2012246085.tif 000011
【図７Ａ】
2012246085.tif 000012
【図７Ｂ】
2012246085.tif 000013
【図８】
2012246085.tif 000014
【図９Ａ】
2012246085.tif 000015
【図９Ｂ】
2012246085.tif 000016
【図１０】
2012246085.tif 000017
【図１１】
2012246085.tif 000018